(57)【要約】【課題】通常は立体視メガネを用いて実現されるような立体視を、かかるメガネを実際に顔に装着しないでも実現可能とするような立体視体験装置を提供する。【解決手段】本発明に係る立体視体験装置10は、内面側に立体画が設置される下底面12と、前記下底面12に対向し１対の立体視レンズ33,33が装着されている上底面11と、前記下底面12及び上底面11の間に位置するとともに採光用の開口部23aが設けられている側面20とで構成される。前記開口部23aからは前記立体画を挿入又は交換可能である。前記側面20は、載置面に対してほぼ垂直をなす正面部21と、この正面部21に対して各々ほぼ直角をなす左側面部22及び右側面部24と、これら左側面部22及び右側面部24の間に位置するとともに前記正面部21に相対し、かつ、該正面部21に向かって傾斜している背面部23とで構成されているとともに、前記開口部23aは、前記背面部23に設けられている。【選択図】図１
2012173586.tif 000002
【特許請求の範囲】
【請求項１】
内面側に立体画が設置される下底面と、
前記下底面に対向し１対の立体視レンズが装着されている上底面と、
前記下底面及び上底面の間に位置するとともに採光用の開口部が設けられている側面とで構成されることを特徴とする立体視体験装置。
【請求項２】
前記開口部から前記立体画を挿入又は交換可能であることを特徴とする請求項１記載の立体視体験装置。
【請求項３】
前記側面は、
載置面に対してほぼ垂直をなす正面部と、
この正面部に対して各々ほぼ直角をなす左側面部及び右側面部と、
これら左側面部及び右側面部の間に位置するとともに前記正面部に相対し、かつ、該正面部に向かって傾斜している背面部とで構成されているとともに、
前記開口部は、前記背面部に設けられていることを特徴とする請求項１又は２記載の立体視体験装置。
【請求項４】
前記左側面部及び右側面部の上端付近には切り込みとして形成された挿入スリットが各々設けられているとともに、
１対の立体視レンズが装着されたフレーム部分と、該枠部分の両端からほぼ直角をなして延びる２つのテンプル部分とを備えた立体視メガネのうち、各テンプル部分が前記各挿入スリットへ挿入されることで、該フレーム部分が前記上底面をなすように形成されていることを特徴とする請求項１、２又は３記載の立体視体験装置。
【発明の詳細な説明】
【技術分野】
【０００１】
本発明は、主に店頭での広告目的又は展示目的で使用される立体視体験装置に関する。
【背景技術】
【０００２】
近年、簡便に立体視を実現できる様々な方法が提案されている。
先行技術においては、たとえば、特許文献１に開示のディスプレイ装置のように、表面に配置されるレンズにより立体的な装飾効果を生じさせる立体装飾シートを用意し、光照射装置によって立体装飾シートに対して光を照射して、照射光を立体装飾シート近傍で結蔵させるようにするものがある。
また、特許文献２に開示の擬似立体視玩具のように、立方内の内部空間に正四面体を配置したものも提供されている。そして、その立方体の頂点には覗き孔が設けられており、その中から内部の正四面体を覗くと、その表面の写真等の平面画像が擬似三次元的感覚をもって見られるようになるというものである。
【先行技術文献】
【特許文献】
【０００３】
【特許文献１】特開２００６−１７８４５号公報
【特許文献２】特開平１０−２３９６３５号公報
【発明の概要】
【発明が解決しようとする課題】
【０００４】
上述のもの以外にも、特別な装置なしに簡便に立体視が得られる方法がある。たとえば、左右で異なる光学特性をもったレンズが装着された立体視メガネを用いて、そのような光学特性を利用して描いた立体画を観察する、というものである。
そのうちの一つに、米国クロマテック社製のクロマデプス（商品名）立体視メガネを用いる方法がある。この立体視メガネは、紙製の、両テンプルを備えたメガネフレームに、１対のマイクロプリズムレンズが装着されているものである。そして、右側のマイクロプリズムレンズは、赤色光は右方へ変位し、青色光は左方へ変位するような分光特性を備えている。一方、左側のマイクロプリズムレンズはこの逆に、赤色光は左方へ変位し、青色光は右方へ変位するような分光特性を備えている。これは、同一の分光特性のマイクロプリズムレンズを、左右で逆向きにメガネフレームに装着することで可能となっている。このような分光特性の結果、赤色で描かれた部分の視差は実際の用紙上のそれより大きくなるため、その部分は手前にあるように見えることになる。逆に青色で描かれた部分の視差は小さくなるので実際の用紙上より奥側に見えることになる。また、その他の色彩、たとえば橙色、黄色、緑色等、赤色と青色との間の波長の色彩の場合は、その波長に応じて赤色と青色との間に位置して見えることとなる。
【０００５】
このような立体視メガネを用いて立体視を得ようとすると、看者は顔にこの立体視メガネを装着し、赤、青その他様々な色彩で描かれた立体画を観察する必要がある。このような立体画がたとえば、広告目的で店頭に展示されているものだとすると、その近傍にこのような立体視メガネを用意しておく必要がある。そして看者は実際に顔に立体視メガネを装着して立体画を見ることになるため、煩わしいと感ずる者もいると思われる。また、立体視メガネの紛失の可能性も懸念されるところである。
そこで本発明は、通常は立体視メガネを用いて実現されるような立体視を、かかるメガネを実際に顔に装着しないでも実現可能とするような装置を提供することを課題とする。
【課題を解決するための手段】
【０００６】
上記の課題に鑑み、本発明に係る立体視体験装置10は、内面側に立体画が設置される下底面12と、前記下底面12に対向し１対の立体視レンズ33,33が装着されている上底面11と、前記下底面12及び上底面11の間に位置するとともに採光用の開口部23aが設けられている側面20とで構成されることを特徴とする。
すなわち、本発明に係る立体視体験装置10は、略箱状に形成されており、その箱の中の、下底面12の内面側に設置されている立体画を、上底面11に設けられている立体視レンズ33,33越しに覗くことで簡便に立体視を得ることができるものである。
「立体視レンズ33,33」とは、左右で異なる光学特性をもったレンズをいう。この立体視レンズ33,33としては立体視の方法に応じて様々なものが使用可能である。たとえば、左右の一方が赤の透明レンズで、もう一方が青の透明レンズであるようなものであってもよい。このような赤と青の透明レンズを用いる場合の立体画は、赤と青の二色で描かれたものが用いられる。また、立体視レンズ33,33として前記した米国クロマテック社製のクロマデプス（商品名）立体視メガネ30で用いられているレンズを使用することも可能である。このような立体視レンズ33,33を用いる場合の立体画は、赤、青その他様々な色彩で描かれたものが用いられる。このように、立体視レンズ33,33と立体画とは、立体視の方法によって適宜の組み合わせで使用可能である。
【０００７】
なお、立体画は略箱状の立体視体験装置10の内部に設置されるものであるから、採光目的で、側面20に開口部23aが設けられている。この開口部23aからは、前記立体画を挿入又は交換することも可能である。
また、本発明に係る立体視体験装置10における前記側面20は、載置面に対してほぼ垂直をなす正面部21と、この正面部21に対して各々ほぼ直角をなす左側面部22及び右側面部24と、これら左側面部22及び右側面部24の間に位置するとともに前記正面部21に相対し、かつ、該正面部21に向かって傾斜している背面部23とで構成されているとともに、前記開口部23aは、前記背面部23に設けられていることが望ましい。すなわち、本発明に係る立体視体験装置10は、前記した上底面11及び下底面12に加え、正面部21、左側面部22、右側面部24及び背面部23の六面体箱状構造をなすことが望ましい。このような構造をなすことで、紙製の展開図から容易に立体視体験装置10を組み立てることも可能となる。また、「背面部23」は傾斜面となっているため、そこに設けられる開口部23aから内部への採光がしやすくなっている。
【０００８】
ここで、「載置面」とは、立体視体験装置10が載置されるであろう水平面、たとえば机、テーブル、台などの天面を想定している。そして、「正面部21」がこの載置面に対して「ほぼ」垂直をなす、あるいは、「左側面部22及び右側面部24」が正面部21に対して「ほぼ」直角をなすとの表現における「ほぼ」とは、ここでいう「垂直」あるいは「直角」が幾何学的に厳密な「垂直」あるいは「直角」をいうのではなく、実際に組み立てられた状態において多少の誤差を含むことをも包含することを表すものである。
さらに、本発明に係る立体視体験装置10においては、前記左側面部22及び右側面部24の上端付近には切り込みとして形成された挿入スリット22a,24aが各々設けられているとともに、１対の立体視レンズ33,33が装着されたフレーム部分31と、該枠部分の両端からほぼ直角をなして延びる２つのテンプル部分32,32とを備えた立体視メガネ30のうち、各テンプル部分32,32が前記各挿入スリット22a,24aへ挿入されることで、該フレーム部分31が前記上底面11をなすように形成されていることが望ましい。すなわち、立体視メガネ30を上底面11となるべき部位に装着することで、立体視メガネ30のフレーム部分31をそのまま上底面11として利用することが可能となる。
【発明の効果】
【０００９】
本発明は上記のように構成されているので、通常は立体視メガネを用いて実現されるような立体視を、かかるメガネを実際に顔に装着しないでも実現可能とするような装置を提供することが可能となっている。
【図面の簡単な説明】
【００１０】
【図１】本発明に係る立体視体験装置を正面斜視図で示したものである。
【図２】本発明に係る立体視体験装置の展開図である。
【図３】本発明に係る立体視体験装置の組立工程を背面斜視図で示したものである。
【発明を実施するための形態】
【００１１】
以下、図面を参照しつつ本発明の実施の形態を説明する。
図１は、本発明に係る立体視体験装置10を、テーブル等の水平面に載置した状態で正面斜視図にて示したものである。本図においては、看者側から見て手前に位置する正面部21と、その向かって左側の左側面部22と、１対の立体視レンズ33,33が装着された上底面11のみが表されている。
左側面部22は、正面部21と接する位置が直角をなすとともに、奥側の辺が手前に向かって傾斜した斜辺22bを有している。左側面部22の上端付近には切り込みとして形成された挿入スリット22aが設けられている。
【００１２】
一方、前記上底面11は、両端にテンプル部分32,32（図中では向かって左側の方のみ視認される。）を備えた平面状のフレーム部分31に１対の立体視レンズ33,33が装着された立体視メガネ30を設置することで形成されている。具体的には、前記挿入スリット22a,24aにテンプル部分32,32を挿入することで、立体視メガネ30のフレーム部分31が上底面11となっている。この立体視メガネ30としては、米国クロマテック社製のクロマデプス（商品名）を使用している。この１対の立体視レンズ33,33の各々は、赤色光は外側へ変位し、青色光は内側へ変位するような分光特性を備えている。
図２は、本発明に係る立体視体験装置10の、立体視メガネ30以外の部分を展開図で示したものである。なお、図中の上側が、立体視体験装置10を載置した状態で上部になる部分で、図中の下側が、立体視体験装置10を載置した状態で下部になる部分である。
【００１３】
正面部21は上辺21dに運搬用に手指を挿入するための切欠21eを設けた長方形状を呈している。正面部21の下辺21cには、長方形状の下底面12が接している。下底面12の両側には左側面部22及び右側面部24との結合用の左側結合片12a及び右側結合片12bがそれぞれ設けられている。正面部21の左辺21aには図１に示した形状の左側面部22が接している。左側面部22の下辺22cには、下底面12の左側結合片12aが挿入される結合スリット22eを含む結合用折り返し22dが設けられている。左側面部22の上辺22fには、補強用折り返し22gが設けられている。左側面部22の斜辺22bには、長方形状の背面部23が接している。背面部23のほぼ下半分を占める領域には、略長方形状の開口部23aが設けられている。背面部23の下辺23bには、長方形状の折り返し部23cが接している。この折り返し部23cの裏側には、図示しない立体画が描かれている。この立体画は前記立体視レンズ33,33の分光特性を生かすべく、少なくとも赤色及び青色を含む複数の色彩で描かれたものである。背面部23には、左側面部22と鏡像をなす形状の右側面部24の斜辺24bが接している。右側面部24の下辺24cには、下底面12の右側結合片12bが挿入される結合スリット24eを含む結合用折り返し24dが設けられている。右側面部24の上辺24fには、補強用折り返し24gが設けられている。右側面部24のもう１辺、すなわち正面側辺24iには、正面部21との接着用折り返し24jが設けられている。左側面部22及び右側面部24の上端付近には図１に示した通りの挿入スリット22a,24aが設けられている。左側面部22及び右側面部24には、ほぼ上下方向に沿ってほぼ二分する位置にミシン目を施した中折れ線22h,24hが設けられている。
【００１４】
この図２に示す展開図から、正面部21の左辺21a、左側面部22の斜辺22b、右側面部24の斜辺24b及び右側面部24の正面側辺24iをいずれも山折りにし、接着用折り返し24jを正面部21の右辺21bの裏側へ接着すると、図３（Ａ）のように、正面部21、左側面部22、背面部23及び右側面部24により側面20が形成されることになる。
さらに図３（Ａ）に示す状態から、背面部23の下辺23bを山折りにして折り返し部23cを内側へ折り曲げる。さらに、左側面部22及び右側面部24の各々の下辺22c,24cを山折りにしてそれぞれ結合用折り返し22d,24dを内側へ折り曲げる。そして正面部21の下辺21cを山折りにして下底面12を内側へ折り曲げ、左側結合片12aを左側面部22の結合スリット22eへ挿入するとともに右側結合片12bを右側面部24の結合スリット24eへ挿入する。次いで左側面部22及び右側面部24の補強用折り返し22g,24gを内側へ折り曲げれば、図３（Ｂ）に示すような箱状形状が形成される。
【００１５】
そして、図３（Ｂ）に示すように、立体視メガネ30の両方のテンプル部分32,32を、それぞれ左側面部22の挿入スリット22a及び右側面部24の挿入スリット24aへ挿入すれば、フレーム部分31が上底面11を構成することとなって、図１に示すような立体視体験装置10が完成することとなる。
この図１に示す状態では、折り返し部23cの裏面（図２参照）にある図示しない立体画は、下底面12の直上に位置して上向きになっている。そして、立体視体験装置10の正面に立つ看者が上底面11の立体視レンズ33,33から内部を覗き込めば、折り返し部23cの裏面に描かれている立体画を視認でき、立体視レンズ33,33の視覚効果による立体視を楽しむことができるようになっている。ここで、背面部23の開口部23aからは周囲の照明の光を取り込むことができる。加えて、別の立体画をここから挿入することも可能である。
【００１６】
なお、この立体視体験装置10から再び立体視メガネ30を取り外し、さらに下底面12と左側面部22及び右側面部24との結合を解除した状態（すなわち、図３（Ａ）に示す状態）に戻し、左側面部22及び右側面部24の各中折れ線22h,24hで谷折りにすれば、側面20を平たく折り畳むことができ、収納の際の便宜が図られている。
【産業上の利用可能性】
【００１７】
本発明は、主に店頭展示用の立体視装置として利用可能である。また、既製の立体画や自ら描いた立体画について家庭的ないし個人的に手軽に立体視を体験できる娯楽ないし趣味を目的とする装置としても利用可能である。
【符号の説明】
【００１８】
10  立体視体験装置        11  上底面
12  下底面                12a  左側結合片            12b  右側結合片
20  側面
21  正面部                21a  左辺                  21b  右辺
21c  下辺                  21d  上辺                21e  切欠
22  左側面部              22a  挿入スリット          22b  斜辺
22c  下辺                  22d  結合用折り返し      22e  結合スリット
22f  上辺                  22g  補強用折り返し      22h  中折れ線
23  背面部                23a  開口部                23b  下辺
23c  折り返し部
24  右側面部              24a  挿入スリット          24b  斜辺
24c  下辺                  24d  結合用折り返し      24e  結合スリット
24f  上辺                  24g  補強用折り返し      24h  中折れ線
24i  正面側辺              24j  接着用折り返し
30  立体視メガネ          31  フレーム部分          32  テンプル部分
33  立体視レンズ
【図１】
2012173586.tif 000003
【図２】
2012173586.tif 000004
【図３】
2012173586.tif 000005